(57)【特許請求の範囲】
【請求項１】
底壁から前壁、後壁及び側壁を立設したディスク状媒体収納本体と、前記本体の上部に開閉可能に取り付けられた蓋体とを備えるディスク収納ケースであって、
前記本体の前記底壁に仕切壁を立設するとともに、前記本体の前記仕切壁及び前記前壁を前方に傾斜させ、かつ前記前壁の傾斜角度を前記仕切壁の傾斜角度より大きくしたことを特徴とするディスク収納ケース。
【請求項２】
請求項１に記載のディスク収納ケースにおいて、
前記本体の前記仕切壁の高さを、収納するディスク状媒体の半径よりも高くしたことを特徴とするディスク収納ケース。
【請求項３】
請求項１又は請求項２に記載のディスク収納ケースを成形するための凹部を設けた固定金型と凸部を設けた移動金型とを備え、
前記移動金型の前記凸部に前記本体の前記仕切壁となる部分を形成するとともに、前記仕切壁となる部分の高さ方向を前記移動金型の移動方向と一致させたことを特徴とするディスク収納ケースの成形金型。
【発明の詳細な説明】
【０００１】
【発明の属する技術分野】
本発明は、ディスク状媒体、特にカートリッジに収納されていないＣＤ（コンパクトディスク）等のディスク状媒体を収納するためのディスク収納ケースと、その成形金型に関するものである。
【０００２】
【従来の技術】
従来のディスク状媒体のうち、カートリッジ等に収納されておらず、ディスク状媒体が単体で情報記録再生装置に装着されるものとしては、ＣＤやＣＤ−ＲＯＭのように予め何らかのデータが記録されているものの他、記録可能なＣＤ（ＣＤ−Ｒ、ＣＤ−ＲＷ等）が挙げられる。
これらのディスク状媒体の保管時には、何らかのケースに収納しているが、例えばデュアルケースと称される収納ケースに収納することが挙げられる（実公平５−１０１４号公報等）。
【０００３】
しかし、デュアルケースでは、ディスク状媒体を１枚ずつ保管するものであるので、多数枚を保管するときは厚みが厚くなり、保管に不便であるとともに、ケースのコストも高くなるという問題がある。
そこで、多数枚のディスク状媒体を収納するディスク収納ケースとして、本体と蓋体からなる略箱形のディスク収納ケースが知られている。
この種のディスク収納ケースとしては、例えば実開平５−４４８８２号公報に記載されたものが挙げられる。このディスク収納ケースは、本体内部に傾斜壁を設けることで、収納した多数枚のディスク状媒体をめくりやすくして、ディスク状媒体の検索性を高めたものである。
【０００４】
【発明が解決しようとする課題】
しかし、前述の実開平５−４４８８２号公報のディスク収納ケースでは、傾斜壁を設けるために、本体の裏面側に凹部を形成する必要があった。また、この傾斜壁と本体の前壁との間を、スタンバイ用のポケット部として利用することができるが、このポケット部にディスク状媒体を収納すると、本体の傾斜壁と後壁との間に収納したときよりもディスク状媒体が上側に突出してしまうので、このポケット部にディスク状媒体を収納しているときは、蓋体を閉じることができないという問題がある。一方、ポケット部にディスク状媒体を収納したままで蓋体を閉じることができるように、本体の深さを深くすると、ディスク収納ケースが大型化してしまうとともに、本体の傾斜壁と後壁との間に収納したディスク状媒体の上部まで本体の側壁等に囲まれてしまうので、検索性が劣ってしまうという問題がある。
【０００５】
したがって、本発明が解決しようとする課題は、多数枚のディスク状媒体を収納できるとともに、大型化することなく収納したディスク状媒体の検索性を高めることである。
【０００６】
【課題を解決するための手段】
上述の課題を解決するために、請求項１の発明は、底壁から前壁、後壁及び側壁を立設したディスク状媒体収納本体と、前記本体の上部に開閉可能に取り付けられた蓋体とを備えるディスク収納ケースであって、前記本体の前記底壁に仕切壁を立設するとともに、前記本体の前記仕切壁及び前記前壁を前方に傾斜させ、かつ前記前壁の傾斜角度を前記仕切壁の傾斜角度より大きくしたことを特徴とする。
請求項２の発明は、請求項１に記載のディスク収納ケースにおいて、前記本体の前記仕切壁の高さを、収納するディスク状媒体の半径よりも高くしたことを特徴とする。
【０００７】
請求項３の発明（ディスク収納ケースの成形金型）は、請求項１又は請求項２に記載のディスク収納ケースを成形するための凹部を設けた固定金型と凸部を設けた移動金型とを備え、前記移動金型の前記凸部に前記本体の前記仕切壁となる部分を形成するとともに、前記仕切壁となる部分の高さ方向を前記移動金型の移動方向と一致させたことを特徴とする。
【０００８】
【作用】
請求項１の発明においては、本体の仕切壁が前方に傾斜しているので、本体の仕切壁と後壁との間に収納したディスク状媒体をめくりやすくし、検索性を高めることができる。さらに、簡易な構造の成形金型を用いて成形することができる。
また、請求項２の発明においては、収納したディスク状媒体を仕切壁で受けるときに、より広い面積で受けることができるので、ディスク状媒体に傷が付きにくくすることができる。
さらにまた、請求項３の発明においては、移動金型に本体の仕切壁となる部分を形成するとともにその高さ方向を移動金型の移動方向に一致させたので、スライドコア等を用いることなく固定金型と移動金型のみでディスク収納ケースの本体を成形することができる。
【０００９】
【発明の実施の形態】
以下、図面等を参照して、本発明の一実施形態について説明する。図１は、本発明によるディスク収納ケースの一実施形態を示す外観斜視図であり、蓋体を途中まで開いた状態を示す。
このディスク収納ケース１０は、ディスク状媒体を収納するためのディスク状媒体収納本体２０と、この本体２０の上部に開閉（回動）自在に取り付けられた蓋体３０とから構成されている。
図２〜図４は、本体２０を示す図であり、図２は斜視図、図３は内面側を示す平面図、図４は、図３のＡ−Ａ断面を示す断面図である。
【００１０】
図２〜図４において、本体２０は、略長方形状の底壁２１の４辺外縁部にそれぞれ前壁２２、後壁２５、並びに側壁２３及び２４を立設して上側のみが開口された略箱形に形成されている。また、底壁２１を基準として、後壁２５の高さ（上端面までの長さ）は、前壁２２の高さよりも高く形成されている。さらにまた、側壁２３及び２４の内面側の略中央位置には、上下方向に延びる段差部２３ａ及び２４ａが形成されており、その分、側壁２３及び２４の外面側において後壁２５寄りの上端近傍には、外面を一段低くした段差部２３ｂ及び２４ｂが形成されている。そして、これらの段差部２３ｂ及び２４ｂの領域内には、それぞれ中空円筒状の支軸部２６が立設されている。この支軸部２６は、蓋体３０を取り付けるためのものである。
また、底壁２１の略中央部には、側壁２３及び２４側に延びるように仕切壁２７が立設されている。
【００１１】
本体２０の側壁２３及び２４並びに後壁２５は、底壁２１に対して略垂直に立設されている。なお、厳密には、成形時の金型の抜き勾配を考慮して、約１〜３度程度、外側に傾斜している。
これに対し、前壁２２及び仕切壁２７は、前方に傾斜するように設けられている。このように仕切壁２７を傾斜させたのは、約２０枚程度のディスク状媒体（例えばＣＤ−Ｒ）を収納したときに、ディスク状媒体をめくりやすくし、収納した複数枚のディスク状媒体から希望のディスク状媒体を探し出すときの検索性を高めるためである。本実施形態では、図４に示すように、仕切壁２７の傾斜角度は、例えば５度程度としているが、収納するディスク状媒体の枚数やサイズ等によって最適傾斜角度が決定される。さらに、仕切壁２７の高さは、収納するディスク状媒体によって異なるが、本実施形態では、前壁２２より２０〜４０ｍｍ程度低くしている。
【００１２】
例えば、上記のように収納するディスク状媒体がＣＤ−Ｒである場合は、ＣＤ−ＲＯＭ等以上にディスク状媒体の情報記録面に傷が付かないように配慮する必要がある。この場合には、ディスク状媒体の情報記録面を受ける面積が広い方が望ましいので、仕切壁２７の高さを、ディスク状媒体の半径（約６ｃｍ）よりもやや長くしている。また、仕切壁２７の横幅も同様に、ディスク状媒体の外径（約１２ｃｍ）の８０％程度としている。
【００１３】
前壁２２は、約７度程度前方に傾斜するように、すなわち仕切壁２７よりさらに約２度程度大きな傾斜角度を有している。このようにしたのは、後述するように、成形金型上の理由によるものである。
【００１４】
図５及び図６は、蓋体３０を示す図であり、図５は内面側を示す平面図、図６は図５のＢ−Ｂ断面を示す断面図である。
蓋体３０は、略長方形状の天壁３１の４辺縁部にそれぞれ前壁３２、後壁３５並びに側壁３３及び３４を立設して下側のみが開口された略箱形に形成されている。側壁３３及び３４の後壁３５側近傍には、円弧状に突出した突出部３３ａ及び３４ａが形成され、この突出部３３ａ及び３４ａの略中心部に円形状の穴３３ｂ及び３４ｂが形成されている。これらの穴３３ｂ及び３４ｂは、本体２０側の支軸部２６に嵌合するものである。
【００１５】
蓋体３０を本体２０に取り付けるときは、本体２０の支軸部２６と蓋体３０の穴３３ｂ、３４ｂとを嵌合させれば良い。ここで、蓋体３０の側壁３３と３４との内面間の長さは、本体２０の側壁２３と２４とにそれぞれ形成した段差部２３ｂと２４ｂとの外面間の長さよりもやや長く形成されている。そして、蓋体３０の側壁３３、３４の突出部３３ａ、３４ａを弾性的に外側にたわませることにより突出部３３ａ、３４ａが本体２０の支軸部２６を乗り越え、穴３３ｂ、３４ｂが支軸部２６に入り込む。この嵌合後は、本体２０の側壁２３、２４に形成した段差部２３ｂ、２４ｂに蓋体３０の突出部３３ａ、３４ａが重なり、これらの突出部３３ａ、３４と、本体２０の側壁２３、２４の外面とがそれぞれ略面一になる。そして、蓋体３０は、本体２０の支軸部２６を中心として回動（開閉）自在になる。
【００１６】
蓋体３０を閉じたときは、本体２０の底壁２１と蓋体３０の天壁３１とが略平行になるように配置されるとともに、蓋体３０の前壁３２、側壁３３及び３４の前側部分、並びに後壁３５の各下端縁がそれぞれ本体２０の前壁２２、側壁２３及び２４、並びに後壁２５の各上端縁と隣接する。
【００１７】
図７は、ディスク収納ケース１０に収納されるディスク状媒体Ｄを示す斜視図であり、図８は、ディスク収納ケース１０にこのディスク状媒体Ｄを複数枚収納した状態を示す側面の断面図である。
ディスク状媒体Ｄは、図７に示すように袋１に収納されたものであり、これが、本体２０の仕切壁２７と後壁２５との間のスペースに収納される。
なお、本体２０の前壁２１と仕切壁２７との間のスペースは、例えばディスク状媒体Ｄに貼付するラベルその他の小物を収納する部分であるが、この部分にもディスク状媒体Ｄを収納しても良い。この部分にディスク状媒体Ｄを収納しても、蓋体３０を閉じることが可能である。
【００１８】
図９は、本体２０の成形金型を示す断面図である。この成形金型１００は、上側の固定金型１０１と、上下方向に移動可能な下側の移動金型１０２とから構成されており、スライドコア等は設けられていない。図中、本体２０の側壁２１、前壁２２、後壁２５及び仕切壁２７を形成する部分（空隙）をそれぞれ２１’、２２’、２５’及び２７’で示す。
【００１９】
固定金型１０１側には、本体２０の外面側を形成するための部分が凹状に設けられている。また、移動金型１０２側には、本体２０の内面側を形成するための部分が凸状に設けられている。そして、移動金型１０２には、本体２０の仕切壁２７となる部分２７’が略垂直に設けられている。すなわち、仕切壁２７となる部分２７’の高さ方向が移動金型１０２の移動方向に一致するようにしている。したがって、仕切壁２７は、後壁２５に対して約５度程度傾斜しているので、本体２０の後壁２５となる部分２５’は、仕切壁２７となる部分２７’を基準とすると約５度傾斜しており、また、底壁２１となる部分２１’も水平ラインに対して約５度傾斜するように形成されている。さらに、本体２０の前壁２２となる部分２２’は、仕切壁２７となる部分２７’よりさらに約２度傾斜している。このように成形金型１００を形成することにより、アンダーカットとなる部分がなく、スライドコアや傾斜スライドを使用する必要がないので、金型コストを高くすることなく、金型のメンテナンスも良好にすることができる。
【００２０】
【発明の効果】
請求項１の発明によれば、本体の仕切壁と後壁との間に収納したディスク状媒体をめくりやすくし、検索性を高めることができる。さらに、簡易な構造の成形金型を用いて成形することができる。
また、請求項２の発明によれば、収納したディスク状媒体をより広い面積で受けることにより、ディスク状媒体に傷が付きにくくすることができる。
さらにまた、請求項３の発明によれば、スライドコア等を用いることなく固定金型と移動金型のみでディスク収納ケースの本体を成形することができ、成形金型のコストひいてはディスク収納ケースの製造コストを削減し、ディスク収納ケースの生産性を高めることができる。
【図面の簡単な説明】
【図１】本発明によるディスク収納ケースの一実施形態を示す外観斜視図であり、蓋体を途中まで開いた状態を示す。
【図２】本体を示す斜視図である。
【図３】本体の内面側を示す平面図である。
【図４】図３のＡ−Ａ断面を示す断面図である。
【図５】蓋体の内面側を示す平面図である。
【図６】図５のＢ−Ｂ断面を示す断面図である。
【図７】ディスク収納ケースに収納されるディスク状媒体を示す斜視図である。
【図８】ディスク収納ケースにディスク状媒体を複数枚収納した状態を示す側面の断面図である。
【図９】本体の成形金型を示す断面図である。
【符号の説明】
１  袋
１０  ディスク収納ケース
２０  ディスク状媒体収納本体
２１  底壁
２２  前壁
２３、２４  側壁
２５  後壁
２６  支軸部
２７  仕切壁
３０  蓋体
３１  天壁
３２  前壁
３３、３４  側壁
３３ｂ、３４ｂ  穴
３５  後壁
１００  成形金型
１０１  固定金型
１０２  移動金型
Ｄ  ディスク状媒体
【図１】
0003602979.tif 000002
【図２】
0003602979.tif 000003
【図３】
0003602979.tif 000004
【図４】
0003602979.tif 000005
【図５】
0003602979.tif 000006
【図６】
0003602979.tif 000007
【図７】
0003602979.tif 000008
【図８】
0003602979.tif 000009
【図９】
0003602979.tif 000010